(57)【特許請求の範囲】
【請求項１】
人体の顔面に装着されるフェイスパックであって、
美容液が浸透されるように吸水性を有し、その内面側が顔面に接触される吸水シート層と、
前記吸水シート層の外面側を覆うように該吸水シート層に一体化され、アルミニウム箔からなるアルミ層と、
前記吸水シート層と前記アルミ層との間に介在されて、吸水性を有する中間層と、
を備え、
前記吸水シート層に、アルミニウムとはイオン化傾向が異なる異種金属としての白金が微粒状の状態をもって保持されていると共に、水と反応して水素を発生する水素生成物質としての金属マグネシウムおよび金属カルシウムの少なくとも一方が微粒状の状態をもって分散保持されている、
ことを特徴とするフェイスパック。
【請求項２】
請求項１において、
前記アルミ層の外面側を覆って該アルミ層に一体化された軟質合成樹脂からなる被覆層をさらに有している、ことを特徴とするフェイスパック。
【請求項３】
人体の顔面に装着されるフェイスパックと、該フェイスパックに浸透される水分を含む美容液との組み合わせ構造であって、
前記フェイスパックが、美容液が浸透されるように吸水性を有してその内面側が顔面に接触される吸水シート層と、該吸水シート層の外面側を覆うように該吸水シート層に一体化されたアルミニウム箔からなるアルミ層と、前記吸水シート層と前記アルミ層との間に介在されて、吸水性を有する中間層と、を有し、
前記吸水シート層に、水と反応して水素を発生する水素生成物質としての金属マグネシウムおよび金属カルシウムの少なくとも一方が微粒状の状態をもって分散保持され、
前記美容液が、アルミニウムとはイオン化傾向が異なる異種金属としての白金をコロイド状とされた状態をもって含んでいて、該美容液が前記吸水シート層及び中間層に浸透されたときに、前記中間層が前記白金を前記アルミ層に直接接触することを防止する、
ことを特徴とするフェイスパックと美容液との組み合わせ構造。
【請求項４】
請求項３において、
前記フェイスパックが、前記アルミ層の外面側を覆って該アルミ層に一体化された軟質合成樹脂からなる被覆層をさらに有している、ことを特徴とするフェイスパックと美容液との組み合わせ構造。
【請求項５】
請求項３ないし請求項４のいずれか１項において、
１つの包装容器に、１枚の前記フェイスパックと１回分の使用量の美容液とが、互いに分離した状態で保持されている、ことを特徴とするフェイスパックと美容液との組み合わせ構造。
【請求項６】
請求項５において、
前記包装容器が、前記フェイスパックが収納される第１収納部と、前記美容液を密閉状態で収納する第２収納部と、該第１収納部と該第２収納部とを非連通状態で仕切る弱化部として設定された仕切部と、を有し、
前記第２収納部を外部から押圧することにより該第２収納部内の圧力上昇によって前記仕切部が破断されて、該第２収納部内の前記美容液が前記第１収納部内へと流れるようにされている、ことを特徴とするフェイスパックと美容液との組み合わせ構造。
【発明の詳細な説明】
【技術分野】
【０００１】
本発明は、フェイスパック、およびそのフェイスパックとフェイスパック用美容液との組み合わせ構造に関するものである。
【背景技術】
【０００２】
美容のために、フェイスパック（の吸水シート層）に美容液を浸透させた状態で、フェイスパックによってほぼ全体的に顔面を被覆することが行われている。特許文献１には、薄い包装袋内を弱化部となる仕切部によって２つの収納部に仕切って、一方の収納部にフェイスパックを収納し、他方の収納部に美容液としての化粧水を収納して、使用時に仕切部を破断して美容液をフェイスパックに浸すようにしたものが開示されている。
【０００３】
特許文献２には、フェイスパックの吸水シート層（パッド部）に、水と反応して水素を発生する水素生成物質を含ませたものが開示されている。
【先行技術文献】
【特許文献】
【０００４】
【特許文献１】特開２００２−１２２７３号公報
【特許文献２】特開２０１５−１６７８４０号公報
【発明の概要】
【発明が解決しようとする課題】
【０００５】
ところで、フェイスパックの顔面への密着性を良好にするために、美容液が浸透される吸水シート層の外面を、アルミ箔からなるアルミ層でもって全体的に被覆したものも実用化されている。すなわち、アルミ層は、その変形形状を保持しやすいことから、フェイスパックの密着性が悪くなる顔面のくぼみ部分にも十分に密着させておくことができる。また、アルミ層によって、吸水シート層に浸透された美容液が外部に蒸発してしまうのを防止したり、保温性を高めて顔面の毛穴が開くのを促進することも期待されることになる。しかしながら、従来のアルミ層を備えるフェイスパックでは、顔面への美容液の浸透効果を高めるまでの機能はなく、使用者にとってはアルミ層を備えることのメリットが小さかった。
【０００６】
本発明は以上のような事情を勘案してなされたもので、その目的は、アルミ層を有するフェイスパックであることを前提として、美容液の肌への浸透効果をより高めることのできるようにしたフェイスパック、およびそのフェイスパックと美容液との組み合わせ構造を提供することにある。
【課題を解決するための手段】
【０００７】
前記目的を達成するため、本発明にあっては、（１）〜（６）とした構成とされている。
【０００８】
（１）人体の顔面に装着されるフェイスパックであって、
美容液が浸透されるように吸水性を有し、その内面側が顔面に接触される吸水シート層と、
前記吸水シート層の外面側を覆うように該吸水シート層に一体化され、アルミニウム箔からなるアルミ層と、
前記吸水シート層と前記アルミ層との間に介在されて、吸水性を有する中間層と、
を備え、
前記吸水シート層に、アルミニウムとはイオン化傾向が異なる異種金属としての白金が微粒状の状態をもって保持されていると共に、水と反応して水素を発生する水素生成物質としての金属マグネシウムおよび金属カルシウムの少なくとも一方が微粒状の状態をもって分散保持されている構成とされている。
【０００９】
上記構成によれば、アルミ層による美容液の蒸発防止、アルミ層による保形機能による顔面への密着性向上、アルミ層による保温効果によって、美容液を顔面の肌に浸透させる効果が高いものとなる。これに加えて、イオン導入効果によって、美容液を肌の奥まで浸透させる効果をさらに向上させることができる。
【００１０】
また、前記吸水シート層に、アルミニウムとはイオン化傾向が異なる異種金属としての白金が保持されていることから、白金とアルミニウムとの間でイオン化傾向の差を極めて大きくする上で好ましいものとなる。また、白金は、人体に無害であることから（人体にとって好ましい金属でもあるとされている）、使用に当たり、極めて好適である。
【００１１】
さらに、前記白金が、微粒状とされていることから、この場合、白金を少ない量でもって吸水シート層に広く分散させる上で好ましいものとなる。しかもこの場合、前記吸水シート層と前記アルミ層との間に、吸水性を有する中間層が介在されていることから、白金とアルミ層とを、確実に離間させてフェイスパックの厚み方向に極力離れた位置関係にすることができる。
【００１２】
加えて、前記吸水シート層が、前記白金の他に、水と反応して水素を発生する水素生成物質としての金属マグネシウムおよび金属カルシウムの少なくとも一方を保持していることから、この場合、美容液を吸水シート層に浸透させた状態で水素が発生されて、顔の肌細胞の抗酸化機能を高めることができ、また口鼻の直近で使用されることから、水素（あるいは還元水素）の体内への取り込みという点でも好ましいものとなる。
【００１３】
【００１４】
【００１５】
【００１６】
（２）前記（１）の構成の下で、
前記アルミ層の外面側を覆って該アルミ層に一体化された軟質合成樹脂からなる被覆層をさらに有している構成とされている（請求項２対応）。この場合、外観上の見栄え向上、アルミ層が微妙に凹凸変形してしまう（例えばしわ模様が形成されてしまう）ことの防止、手指によってアルミ層が不用意に破断されてしまうことの防止、さらには被覆層に対する印刷は容易なので、フェイスパックの外表面を印刷面にする上で好ましいものとなる。
【００１７】
【００１８】
（３）人体の顔面に装着されるフェイスパックと、該フェイスパックに浸透される水分を含む美容液との組み合わせ構造であって、
前記フェイスパックが、美容液が浸透されるように吸水性を有してその内面側が顔面に接触される吸水シート層と、該吸水シート層の外面側を覆うように該吸水シート層に一体化されたアルミニウム箔からなるアルミ層と、前記吸水シート層と前記アルミ層との間に介在されて、吸水性を有する中間層と、を有し、
前記吸水シート層に、水と反応して水素を発生する水素生成物質としての金属マグネシウムおよび金属カルシウムの少なくとも一方が微粒状の状態をもって分散保持され、
前記美容液が、アルミニウムとはイオン化傾向が異なる異種金属としての白金をコロイド状とされた状態をもって含んでいて、該美容液が前記吸水シート層及び中間層に浸透されたときに、前記中間層が前記白金を前記アルミ層に直接接触することを防止する構成とされている。
上記構成によれば、フェイスパックに美容液を浸透させて使用する際に、請求項１に対応した効果を得ることができる。
【００１９】
【００２０】
【００２１】
【００２２】
（４）前記（３）の構成の下で、
前記フェイスパックが、前記アルミ層の外面側を覆って該アルミ層に一体化された軟質合成樹脂からなる被覆層をさらに有している、ようにしてある（請求項４対応）。この場合、請求項２に対応した効果を得ることができる。
【００２３】
【００２４】
（５）前記（３）ないし（４）のいずれかにおいて、
１つの包装容器に、１枚の前記フェイスパックと１回分の使用量の美容液とが、互いに分離した状態で保持されている構成とされている（請求項５対応）。この場合、１回分のフェイスパックと美容液とを１セットとして提供することができる。
【００２５】
（６）前記（５）の構成の下で、
前記包装容器が、前記フェイスパックが収納される第１収納部と、前記美容液を密閉状態で収納する第２収納部と、該第１収納部と該第２収納部とを非連通状態で仕切る弱化部として設定された仕切部と、を有し、
前記第２収納部を外部から押圧することにより該第２収納部内の圧力上昇によって前記仕切部が破断されて、該第２収納部内の前記美容液が前記第１収納部内へと流れるようにされている、
ようにしてある（請求項６対応）。この場合、使用に際して美容液をフェイスパックに簡単に浸透させることができる。
【００２６】
【発明の効果】
【００２７】
本発明によれば、美容液の顔面の肌への浸透効果をより高めることができる。
【図面の簡単な説明】
【００２８】
【図１】本発明によるフェイスパックの一例を示す平面図。
【図２】図１のＸ２−Ｘ２線相当断面図。
【図３】図２の変形例を示す断面図。
【図４】異種金属を含む美容液を収納した容器を示す側面図。
【図５】フェイスパックと美容液とを収納した包装容器の一例を示す平面図。
【図６】図５のＸ６−Ｘ６線相当断面図。
【発明を実施するための形態】
【００２９】
図１に、本発明によるフェイスパックＦが示される。フェイスパックＦは、人体の顔面をほぼ全体的に覆うような大きさの薄いシート状とされていて、両眼部分には開口部１が形成され、口部分には開口部２が形成されている。そして、顔面への密着性を向上させるために、鼻回りに相当する部分に切り込み３が形成され、周囲の複数箇所（実施形態では４箇所）にフェイスパックＦの外周縁部に連なる切り込み４が形成されている。
【００３０】
フェイスパックＦは、図２に示すように、内側（顔面への接触面側）から外側へ順次、吸水性を有する吸水シート層１１、アルミ箔からなるアルミ層１２、被覆層１３と、を有する。吸水シート層１１は、例えば不織布により形成されて、可撓性および吸水性を有する。吸水シート層１１の厚さは、従来からのフェイスパックにおけるものと同等のものとすることができる。
【００３１】
アルミ層１２は、吸水シート層１１を全体的に覆うようにして吸水シート層１１に一体化されている。吸水シート層１１とアルミ層１２との一体化は、例えば部分接着により行われて、吸水シート層１１に浸透された水分がアルミ層１２にまで到達するようにされている。アルミ層に用いられるアルミニウム箔は、純度９９．９％以上の高純度のアルミニウム箔のほか、アルミニウム合金箔を用いることができる。用いることができるアルミニウム箔の組成は限定されないが、好適には１Ｎ３０、１０５０、３００４、３００３の少なくともいずれかであることで、より保形性を保つことができる。また、アルミニウム箔の厚みは限定されないが、６μｍ以上５０μｍ以下であることが好ましい。アルミニウム箔の厚みが６μｍ未満であると破れやすく、５０μｍを超えるとしなやかさが低下し顔の曲線に追従しにくくなってしまう。より好ましくは、アルミニウム箔の厚さが９μｍ以上２０μｍ以下であればより顔の形状に沿って最適にフィットさせることができる。
【００３２】
被覆層１３は、アルミ層１２を全体的に覆うようにしてアルミ層１２に一体化されている。被覆層１３は、フィルム状に薄いものとされて、軟質材（例えば軟質合成樹脂）により形成されている。アルミ層１２と被覆層１３との一体化は、例えば全面接着や、被覆層１３を構成する被覆材をアルミ層１２にスプレー（スプレー接着）する等により行われている。また、被覆層１３は、アルミ層１２に施した印刷によって形成される印刷層として構成することもできる。
【００３３】
被覆層１３によって、手指で押圧された際に、アルミ層１２が微妙に凹凸変形してしまう事態（しわ模様等の形成）が防止される。また、被覆層１３によって、手指から外力を受けた際に、アルミ層１２が不用意に破断されてしまうことが防止される。被覆層１３の色を適宜選択することができ、例えばゴールド等のきらびやかか色にすることもできる。被覆層１３を透明（半透明を含む）として、被覆層１３の有する色（無色であってもよい）とアルミ層１２の有する金属光沢との兼ね合いで、金属光沢を有する色合いを得ることもできる。さらに、被覆層１３に対しては印刷を容易に行うことができるので、フェイスパックＦの外表面に所望の模様や色等を印刷によって形成する場合にも好適となる。
【００３４】
吸水シート層１１には、アルミ層１２（アルミニウム）とはイオン化傾向の相違する異種金属が保持されている。図２では、吸水シート層１１内に描かれた小さな丸印が、異種金属を象徴的に示している。異種金属としては、例えば、金あるいは白金の少なくと一方とすることができる。この場合、異種金属を、極力細かい微粒状（粉体状を含む）として、吸水シート層１１に含ませておくことができる。また、練り込みによって異種金属を吸水シート層１１に含ませておくことができる。吸水シート層１１に異種金属を含ませるための手法は、上記の場合に限らず、例えばバインダーと共にスプレーする等、適宜の手法を採択できる。
【００３５】
以上のような構成のフェイスパックＦは、非使用時には、包装容器（包装パック）内に密閉状態で収納されている。使用の際には、フェイスパックＦを包装容器から取り出して、水分を含む美容液を吸水シート層１１に浸透させる。美容液は、水分を含むことから電解質ともなる。この後、吸水シート層１１が顔面に密着するように、フェイスパックＦで顔面を覆う。このような使用形態は、従来からのフェイスパックと変わることがない。なお、美容液としては、水分を含むものであれば、既知の適宜のものを使用することができる。例えば、化粧水の呼称で呼ばれるものや、ビタミンＣ誘導体を含むものや、その他の美容剤を含むもの等、適宜のものを使用できる。
【００３６】
フェイスパックＦを顔面に密着させている状態が、数分から数十分継続される。この間に、美容液が顔面の肌に浸透し、美容効果が得られることになる。吸水シート層１１に浸透された美容液は、アルミ層１２によって外部への蒸発等による損失を防止することができる。また、アルミ層１２の保形作用（変形された状態を維持する機能）によって、顔面のくぼんだ部分等にも吸水シート層１１を十分に密着させておくことができる。さらに、アルミ層１２により、保温効果が得られて、これにより顔面の毛穴が十分に開いて、美容液が顔面の肌へ浸透する作用が向上される。
【００３７】
吸水シート層１１に存在する異種金属とアルミ層１２とは、イオン化傾向が相違するために、美容液に含まれる水分を電解液としてアルミ層１２と異種金属との間で微少電位差が生じることになる。すなわち、異種金属が例えば金あるいは白金である場合は、アルミニウムよりもイオン化傾向が小さいことから、アルミ層１２側がマイナス極となる。
【００３８】
ここで、肌の表面を構成する角質層は、酸性で陽イオン（＋）が多くなっている。また、角質層の内側の顆粒層は、アルカリ性で陰イオン（−）が多くなっている。よって、角質層と顆粒層とは、互いに反発しあい、間に電気の膜が形成されることになる。通常は、この電気の膜に阻まれて、美容液を肌の奥まで浸透させることが難しいものとなる。しかしながら、前述のようにアルミ層１２と異種金属との間で微少電位差が生じると、角質層と顆粒層とが中性に傾き、その反発が弱まることになる。これにより、美容液を肌の奥まで浸透させることが可能となる（イオン導入効果による美容効果の向上）。これに加えて、上記微少電位差によって、電気浸透効果の可能性が想定される。
【００３９】
図３は、本発明の変形例を示すものである。本例では、吸水シート層１１とアルミ層１２との間に、中間層１４を設けたものとなっている。中間層１４は、可撓性を有すると共に吸水性を有し、例えば吸水シート層１１と同様の材質（例えば不織布）でもって構成することができる。中間層１４は、異種金属を含まないものとされて、吸水シート層１１に含まれる異種金属がアルミ層１２に直接接触するのを防止する機能を有する。中間層１４を設けることにより、アルミ層１２と異種金属との間の隙間を確実に確保して、微少電位差をフェイスパックＦの厚み方向に極力大きな範囲でもって生じさせる上で好ましいものとなる。
【００４０】
ここで、吸水シート層１１に、水と反応して水素を発生する水素生成物質を含ませておくことができる。この場合、水分を含む美容液を吸水シート層１１に浸透させた際に、水素が発生されて、顔の肌細胞の抗酸化機能を高めることができる。また、口鼻の直近で使用されることから、水素（あるいは還元水素）の体内への取り込みという点でも好ましいものとなる。また、発生した水素は、アルミ層１２によって外部への漏出が防がれ、効率的よく肌に向かうことになる。
【００４１】
水素生成物質としては、例えば金属カルシウム、金属マグネシウム等、従来既知の適宜のものを使用することができる。この場合、水素生成物質を、セラミックに焼成したものを細かく砕いた微粒状（粉体状を含む）として、吸水シート層１１に含ませることができる（例えば練り込み、バインダーと混合したものをスプレー塗布等）。なお、金や白金、あるいは金属マグネシウム、金属カルシウムの微粒状体は、例えば数μｍ〜数ｍｍ程度の範囲で適宜選択できるが、極力細かくして使用するのが、少ない量でもって吸水シート層１１に広く分散させる上で好ましいものとなる。
【００４２】
図４は、美容液２１を収納した容器２０を示す。容器２０は、複数回（例えば１０〜２０回）分の美容液２１を収納する大きさとされている。美容液２１は、前述した異種金属を含んだものとされている。異種金属は、コロイド状とされた金または白金の少なくとも一方とされて、美容液２１中に萬遍なく存在するようにされている。異種金属を含む美容液２１を用いることにより、アルミ層１２を有するが、吸水シート層１１に異種金属を含まないフェイスパックにおいても、前述した微少電位差を利用した美容液の浸透効果向上を得ることができる。この場合、吸水シート層１１が、水素生成物質を含むものとすることができる。
【００４３】
図５、図６は、異種金属を含むフェイスパックＦと異種金属を含まない美容液（水素生成物質の有無は問わない）とを、１つの包装容器３０内に収納して、使用直前に、美容液をフェイスパックＦ（の吸水シート層１１）に浸透させることのできるようにした場合を示す。
【００４４】
包装容器３０は、それぞれ方形とされた例えば熱可塑性の薄いシートからなる表シート３１と裏シート３２との全外周縁部同士を、例えば熱融着（溶着）により強固に一体化してあり、この外周縁部での一体化部分を符号３５で示す。これにより、包装容器３０内は、外部を遮断された密閉構造とされる。
【００４５】
包装容器３０は、その中間部において、例えば弱く熱融着することにより、直線状とされた仕切部３６が形成されている。仕切部３６によって、互いに非連通状態とされた第１収納部Ｓ１と第２収納部Ｓ２とが区画される。両収納部Ｓ１とＳ２とは互いに非連通状態とされる。そして、第１収納部Ｓ１には、例えば２つ折りにされたフェイスパックＦが収納されている。また、第２収納部Ｓ２には、１回分の美容液が収納されている。
【００４６】
使用に際しては、第２収納部を手指で押圧する。これにより、第２収納部Ｓ２内の圧力が高まって、弱化部としての仕切部３６が破断されて（一体化部分３５は破断されない）、第１収納部Ｓ１と第２収納部Ｓ２とが互いに連通される。これにより、美容液がフェイスパックＦ（の吸水シート層１１）に浸透される。この後は、包装容器３０を切り開いて、美容液が浸透されたフェイスパックＦを外部へ取り出して使用すればよい。なお、包装容器３０を構成する素材は特に限定されないものである。
【００４７】
以上実施形態について説明したが、本発明は、実施形態に限定されるものではなく、特許請求の範囲の記載された範囲において適宜の変更が可能である。例えば、被覆層１３を有しないものであってもよい（アルミ層１２が外部へむきだし）。中間層１４を有しないものであってもよい。フェイスパックと美容液との組み合わせとしては、フェイスパック（吸水シート層１１）に異種金属が含まれないものと異種金属を含む美容液との組み合わせ、フェイスパックに異種金属が含むものと異種金属を含む美容液との組み合わせ等、吸水シート層１１に美容液を浸透させて状態で吸水シート層１１に異種金属が存在するものであれば、適宜の組み合わせを選択することができる。水素生成物質特に水性生成金属を用いる場合は、特にフェイスパックの使用時に十分な量の水素が得られるように、乾燥された吸水シート層１１に水素生成物質を含ませておくのが好ましいものである。なお、美容液中に水素生成物質を含ませておくことも考えられるが、使用時における水素発生量を十分に確保するためには、美容液が浸透される前の乾燥した吸水シート層１１側に水素生成物質を含ませておくのが好ましいものである。
【００４８】
水素生成物質としては、金属マグネシウムに限らず、例えばニッケル触媒、純粋カルシウム（金属カルシウム）、チタン、酸化チタン、イオン交換樹脂等、適宜のものを利用することができる。また、水素生成物質を使用する場合は、ミネラル物質を合わせて使用するのが好ましく、ミネラル物質としは、例えばナトリウムやカリウム等、適宜のものを利用することができる。水素生成物質およびミネラル物質をセラミックとして構成することもできるが、セラミックとすることなく例えば粉状、粒状等それぞれ単独で存在した状態で吸水シート層１１に含ませておくようにしてもよい。
【００４９】
フェイスパックと美容液との組み合わせの提供態様として、１つの包装容器（包装袋）内に、１枚のフェイスパックと１回分の美容液を収納した小さな容器（特にプラスチック容器）とを互いに分離した状態（吸水シート層１１が乾燥した状態での１セット化された状態）で提供することもできる。１枚のフェイスパック（の吸水シート層１１）にあらかじめ美容液を浸透させたものを、１つの包装容器内に収納して提供することもできる。勿論、本発明の目的は、明記されたものに限らず、実質的に好ましいあるいは利点として表現されたものを提供することをも暗黙的に含むものである。
【産業上の利用可能性】
【００５０】
本発明は、フェイスパックによる美容効果を高める上で好ましいものとなる。
【符号の説明】
【００５１】
Ｆ：フェイスパック
１１：吸水シート層
１２：アルミ層
１３：被覆層
１４：中間層
２０：容器
２１：美容液（異種金属を含む）
３０：包装容器
３１：表シート
３２：裏シート
３５：一体化部分（強固）
３６：仕切部（弱化部）
Ｓ１：第１収納部
Ｓ２：第２収納部
【図１】
0006726433.tif 000002
【図２】
0006726433.tif 000003
【図３】
0006726433.tif 000004
【図４】
0006726433.tif 000005
【図５】
0006726433.tif 000006
【図６】
0006726433.tif 000007